(57)【要約】【課題】  ハンドルを所定角度に復帰させるばねが腐食することにより生じるハンドルの操作性の悪化を防止することができる回転式操作装置を提供する。【解決手段】  回転式操作部材を操作することにより、回転式操作部材に連なるスピンドルの回転力を利用し、排水弁に線状体を介して連結された線状体保持部材を引き上げることにより、洗浄水の排水を行う回転式操作装置において、洗浄水貯水用タンク側面の貫通穴を貫通するスピンドルの回転軸と略同軸上にスピンドルを所定の角度に復帰させる捩りばねを配設した。【選択図】  図３
2013076310.tif 000002
【特許請求の範囲】
【請求項１】
回転式操作部材と、前記回転式操作部材に連なるスピンドルと、前記スピンドルに固定された第１リンク部材と、排水弁に線状体を介して連結され、前記回転式操作部材の操作を通じて生じる前記スピンドルの回転力を利用することにより移動可能な線状体保持部材と、前記第１リンク部材及び前記線状体保持部材に回動自在に連結され、前記第１リンク部材及び前記線状体保持部材を連結する第２リンク部材と、前記線状体保持部材の動きを上下方向に規制するために用いられるガイド部とを備え、側面に前記スピンドルが貫通する貫通穴を有する洗浄水貯水用のタンクに装着される回転式操作装置であって、前記回転式操作部材を所定の角度に復帰させる捩りばねが、前記貫通穴を貫通する前記スピンドルの回転軸上に配設されたことを特徴とする回転式操作装置。
【発明の詳細な説明】
【技術分野】
【０００１】
本発明は、便器に洗浄水を供給するために用いられる回転式操作装置に係り、特に回転式操作部材を操作することにより、排水弁に線状体を介して連結された線状体保持部材が上下方向に移動可能な構成とした回転式操作装置に関する発明である。 
【背景技術】
【０００２】
従来、この種の回転式操作装置としては、ハンドルを操作した際に、ハンドルに連なるスピンドルに２つのリンク部材を介して回動自在に連結され、排水弁に連結されたワイヤを保持するワイヤ保持部材が、ケースのガイド部に沿って、スピンドル下部にて鉛直上方向に移動することにより、ワイヤを介して排水弁の引き上げを行うものが知られており、この回転式操作装置においては、上下動するワイヤ保持部材とケース下部を連結する引張りばねの作用によって、操作後のハンドルを所定の角度へ復帰させている。（例えば、特許文献１参照。）
【先行技術文献】
【特許文献】
【０００３】
【特許文献１】中国実用新案公告第２６４１１５６号明細書
【発明の概要】
【発明が解決しようとする課題】
【０００４】
リンク部材を介してスピンドルに連結されたワイヤ保持部材を、スピンドル下部にて上下させる機構（以下、リンク機構という）を有する回転式操作装置では、排水弁に求められる最大引き上げ量と同一、もしくはそれ以上にワイヤ保持部材を引き上げる必要がある。つまり、リンク機構を有する回転式操作装置のスピンドル下部における鉛直方向長さが、排水弁の引き上げ量以上の長さとなることは避けられない。
【０００５】
ところが、従来の回転式操作装置では、ハンドルの所定角度への復帰手段である引張りばねを、装置下部（ワイヤ保持部材とケース下部との間）に配置する必要があるため、装置のスピンドル下部における鉛直方向長さがさらに長くなってしまう。しがたって、従来の回転式操作装置を、深さがあまりないローシルエットタイプのタンクに取り付けた場合、装置下部に設けられた引張りばねがタンク内の水に浸水し、腐食することによって、引張りばねの弾性力が低下してしまい、ハンドルの操作性が悪くなるという問題があった。
【０００６】
本発明は、上記問題点を解決するためになされたものであり、スピンドル下部にて鉛直方向に長くなることが避けられないリンク機構を有する回転式操作装置であっても、ハンドルを所定角度に復帰させる復帰用ばねが腐食することによって生じるハンドルの操作性の悪化を防止することができる回転式操作装置を提供することを目的としている。  
【課題を解決するための手段】
【０００７】
本発明に係る回転式操作装置は、回転式操作部材と、回転式操作部材に連なるスピンドルと、スピンドルに固定された第１リンク部材と、排水弁に線状体を介して連結され、回転式操作部材の操作を通じて生じるスピンドルの回転力を利用することにより移動可能な線状体保持部材と、第１リンク部材及び線状体保持部材に回動自在に連結され、第１リンク部材及び線状体保持部材を連結する第２リンク部材と、線状体保持部材の動きを上下方向に規制するために用いられるガイド部とを備え、側面に前記スピンドルが貫通する貫通穴を有する洗浄水貯水用のタンクに装着される回転式操作装置であって、回転式操作部材を所定の角度に復帰させる捩りばねが、貫通穴を貫通するスピンドルの回転軸上に配設されたことを特徴とする。
【０００８】
このように構成された本発明においては、漏水の観点から、非洗浄時におけるタンク内の洗浄水の水位が確実に到達することのない、タンク側面に設けられた貫通穴とほぼ同じ高さに復帰用の捩りばねを配設するため、従来のように、復帰用のばねがタンク内の水に浸かることがない。したがって、復帰用ばねが腐食することによる操作性の悪化を確実に防止することができる。
【発明の効果】
【０００９】
本発明の回転式操作装置によれば、回転式操作部材を所定角度に復帰させる復帰用ばねが腐食することによって生じるハンドルの操作性の悪化を防止することができる。
【図面の簡単な説明】
【００１０】
【図１】本発明の実施の形態に係る回転式操作装置を取り付けたタンクを簡略的に表す断面図。
【図２】本発明の実施形態に係る回転式操作装置の取付状態を表す斜視図。
【図３】本発明の実施形態に係る回転式操作装置の分解斜視図。
【図４】本発明の実施の形態に係る回転式操作装置の捩りばねが嵌めこまれた第１リンクの斜視図。
【図５】本発明の実施形態に係る回転式操作装置の操作前後の図２におけるX-X断面図。
【発明を実施するための形態】
【００１１】
以下、図面を参照して本発明の実施の形態について説明する。
【００１２】
図１は、本発明の実施の形態に係る回転式操作装置を取り付けた洗浄水貯水用タンクの断面図を簡略的に表したものである。回転式操作装置１は、タンク３の外側に取り付けられたハンドル５を回転させることにより、タンク３側面に設けられた貫通穴４に嵌着された連結部７の内部を貫通するスピンドル９がその回転力を本体ユニット１１内部に伝達し、その回転力を利用して、図示しない排水弁に連結されたワイヤを引き上げることにより、便器へタンク３内の洗浄水の供給を行う。
【００１３】
図２は、タンク３に取り付けられた本発明の実施の形態に係る回転式操作装置１の拡大斜視図であり、図３は、図２における回転式操作装置１の分解斜視図である。まず、図２、３を参照しながら、本実施形態に係る回転式操作装置１の各構成部品について説明する。
【００１４】
９はハンドル５の回転を伝達するスピンドル、１３はハンドル５にスピンドル９を固定するための固定ねじ、１５は内部にスピンドル９が回動自在に挿入される挿通穴を有し、先端に本体ユニット１１が回動不能に装着されるスピンドルガイドである。このスピンドルガイド１５はタンク３の側面に設けられた貫通穴４に回動不能に挿入後、タンク３からの抜けを防止するための抜け防止部材１０をスピンドルガイド１５の先端側の一部と嵌合させることにより取り付けを確実なものとしている。１７は挿入されたスピンドル９のスピンドルガイド１５からの抜けを防止するためのＣリングである。１９はスピンドル９先端に設けられたスプライン部９aと嵌合するスプライン部１９aを内部に有する第１リンク、２０は第１リンク１９に嵌めこみ設置される捩りばね、２１は一端が第１リンク１９先端に設けられた突起部１９bに挿入孔２１aが回動自在に嵌合される第２リンク、２３は第２リンク２１の他端に設けられた突起部２１bに挿通孔２３aが回転自在に嵌合され、一端が図示しない排水弁に取り付けられたワイヤの他端を保持するワイヤ保持部材、２５はスピンドルガイド１５先端との嵌合部を有し、第１リンク１９、第２リンク２１及びワイヤ保持部材２３を収容するケース、２７は第２リンク２１の突起部２１bの移動方向を上下方向のみに規制するスリット２７aを有する蓋体である。
【００１５】
次ぎに、捩りばね２０の第１リンク１９への取付方法について、図３及び図４を用いて説明する。図３に示されているように、捩りばね２０は、２つの引掛け部２０a、２０bを有し、引掛け部２０a、２０bが、第１リンク１９の両側面に切り欠かれた挿入通路１９cを経由して、図４のように、第１リンク１９の両側面に設けられた回転用スリット１９dからはみ出すようにして溝部１９eに嵌めこまれる。
【００１６】
次に、捩りばね２０が嵌めこまれた第１リンク１９のスピンドル９及びケース２５への取付方法について説明する。図５(a)は、非操作時の図２におけるX-X断面図である。捩りばね２０が嵌め込まれた第１リンク１９は図５(a)のように、ケース２５上部に山型凸状に設けられた２つの当接部２９の各外側斜面に捩りばね２０の引掛け部２０a、２０bがそれぞれ当接するよう、ケース２５内面から突き出たスピンドル９先端のスプライン部９aに、第１リンク１９のスプライン部１９aを嵌合させる。その際の、第１リンク１９が取り付けられた端部とは反対側のスピンドル９の端部に取り付けられているハンドル５の角度が、非操作時におけるハンドル５の所定の角度となる。
【００１７】
上記のように、第１リンク１９をスピンドル９に嵌合させることにより、第１リンク１９に嵌めこまれた捩りばね２０は、スピンドル９の回転軸上に配設されることとなる。したがって、漏水の観点から、タンク３内の洗浄水が到達することのないタンク３側面の貫通穴４の高さに捩りばね２０を配設するため、捩りばね２０がタンク３内の洗浄水へ浸水することを確実に回避できる。
【００１８】
次に、ハンドル操作時における、ケース内部の各部材の動きについて説明する。図５(b)は、大洗浄を行うためにハンドル５を回転させたときの図２におけるX−X断面図である。ハンドル操作時、まず、ハンドル５の回転に伴い、スピンドル９及びスピンドル９に嵌合された第１リンク１９がハンドル５と同一方向に回転し、次に、第１リンク１９の先端に回動自在に嵌合された第２リンク２１の先端が、第１リンク１９の回転に伴い持ち上げられる。それに伴い、第２リンク２１先端の突起部２１bが蓋体２７のスリット２７aに沿って、上方向に移動すると共に、第２リンク２１の突起部２１bに回動自在に嵌合されたワイヤ保持部材２３も上方向に移動する。これにより、このワイヤ保持部材２３に取り付けられたワイヤが引き上げられる。
【００１９】
蓋体２７の内面上部には、ワイヤ保持部材２３によるワイヤの引上げ量を制限するため、つまり、図示しないワイヤ先端に取り付けられた排水弁の引上げ量を制限するために、ワイヤ保持部材２３の上昇距離を制限する大洗浄用ストッパ３１が設けられおり、ハンドル５は、ワイヤ保持部材２３が、この大洗浄用ストッパ３１に衝突するまで回転可能となっている。
【００２０】
上記構成によれば、排水弁の引き上げ量を規制するために、排水弁を直接引き上げ量規制用の部材に当接させる必要がなく、排水弁が引き上げ量規制部材に当接する際の衝撃により排水弁が破損するという問題を未然に回避することができる。また、排水弁に連結されたワイヤを引き上げるワイヤ保持部材自身の動きを規制するため、他部品の公差の影響を受けて、ワイヤの引き上げ量が不安定になることもない。
【００２１】
一方、小洗浄を行う場合（大洗浄時とハンドルを逆方向に回転）も、ケース内部における各部材の動作原理は大洗浄時と同一であるが、小洗浄を行う場合は、ケース２５上部に設けられた小洗浄用ストッパ３３に第１リンク１９が衝突するまでハンドル５が回転可能である。
【００２２】
次に、大洗浄時における、捩りばね２０の作用について、引き続き図５(b)を用いて説明する。ハンドル５を回転させると、第１リンク１９は回転するが、引掛け部２０aは、当接部２９に引っ掛ったまま回転せず、その位置が維持される。このとき、第１リンク１９の回転は、スリット１９dの存在により、引掛け部２０aによって遮られることはない。
【００２３】
一方、引掛け部２０bは、第１リンク１９dのスリット上端に押されて、第１リンク１９と同一方向に回転させられるため、当接部２９から離れる方向に回転する。したがって、ハンドル回転時、捩りばね２０には弾性変形が生じ、使用者がハンドル５から手を離した際には、捩りばね２０の弾性力により、第１リンク１９が元の状態に復帰する。したがって、これに伴い、第１リンク１９に嵌合されたスピンドル９に固定されているハンドル５も所定の角度に復帰することができる。
【００２４】
なお、第１リンク１９の回転方向は逆向きになるが、当然、小洗浄時においても同様の原理で捩りばね２０が作用することは言うまでもない。  
【符号の説明】
【００２５】
１…回転式操作装置
３…タンク
４…貫通穴
５…ハンドル
７…連結部
９…スピンドル
９a…スプライン部
１１…本体ユニット
１３…固定ねじ
１５…スピンドルガイド
１７…Cリング
１９…第１リンク
１９a…スプライン部
１９b…突起部
１９c…挿入通路
１９d…回転用スリット
１９e…溝部
２０…捩りばね
２０a、２０b…引掛け部
２１…第２リンク
２１a…挿入孔
２１b…突起部
２３…ワイヤ保持部材
２３a…挿入孔
２５…ケース
２７…蓋体
２７a…スリット
２９…当接部
３１…大洗浄時ストッパ
３３…小洗浄時ストッパ                    
【図１】
2013076310.tif 000003
【図２】
2013076310.tif 000004
【図３】
2013076310.tif 000005
【図４】
2013076310.tif 000006
【図５】
2013076310.tif 000007